(57)【要約】    【課題】  展示会場に十分な、あるいは展示に適したテーブル等の展示用備品が不足していたり、ない場合であっても、展示・陳列を何ら支障なく行うことのできる展示台を提供すること。    【解決手段】  展示台キット１０は、回動軸Ｘにより二分され離合自在の箱部材１ａ、１ｂからなる箱体２と、箱状形態［Ｂ］をとった際の箱体２内に収容可能でありかつ後記展示台２０の支持部として用いるための一または複数の支持部材３とからなり、箱体２を形成する二の箱部材１ａ、１ｂはそれらの離隔により一平面をなして卓状形態［Ｔ］を形成して展示台２０をなすことを、主たる構成とする。【選択図】  図１
2020127652.tif 000002
【特許請求の範囲】
【請求項１】
回動軸により二分され離合自在の箱部材からなる箱体と、箱状形態をとった際の該箱体内に収容可能でありかつ後記展示台の支持部として用いるための一または複数の支持部材とからなる展示台キットであって、該箱体を形成する二の該箱部材はそれらの離隔により一平面をなして卓状形態を形成し、展示台を構成可能であることを特徴とする、展示台キット。
【請求項２】
前記卓状形態をとる前記箱体と前記支持部材とを固定する固定手段が設けられていることを特徴とする、請求項１に記載の展示台キット。
【請求項３】
前記固定手段は、前記箱体および前記支持部材双方に設けられた、これら相互を連結する連結スリットであることを特徴とする、請求項２に記載の展示台キット。
【請求項４】
前記支持部材として、一または複数の中空の柱状体が含まれ、該柱状体は前記卓状形態をとる前記箱体を下方から支持するために用いられることを特徴とする、請求項１、２、３のいずれかに記載の展示台キット。
【請求項５】
前記柱状体は複数設けられ、該柱状体相互を連結する連結スリットが該柱状体に設けられていることを特徴とする、請求項４に記載の展示台キット。
【請求項６】
前記支持部材として、前記柱状体を下方から支持する一または複数の足部部材が含まれていることを特徴とする、請求項４、５のいずれかに記載の展示台キット。
【請求項７】
前記足部部材には、他の支持部材と連結するための連結スリットが設けられていることを特徴とする、請求項６に記載の展示台キット。
【請求項８】
前記支持部材は複数備えられ、一の支持部材の内部に他の支持部材が収容され得る関係（以下「入れ子関係」という。）が一または複数存在するように各支持部材の形状およびサイズ（以下「形態」という。）が形成されていることを特徴とする、請求項１、２、３、４、５、６、７のいずれかに記載の展示台キット。
【請求項９】
前記箱体が箱状形態をとった際にその内部に物品を収容可能な一または複数の内部箱体を備えていることを特徴とする、請求項１、２、３、４、５、６、７、８のいずれかに記載の展示台キット。
【請求項１０】
前記内部箱体の一つが、前記展示台による展示に係る物品収容用の箱であることを特徴とする、請求項９に記載の展示台キット。
【請求項１１】
請求項１、２、３、４、５、６、７、８、９、１０のいずれかに記載の展示台キットにより形成されていることを特徴とする、展示台。
【発明の詳細な説明】
【技術分野】
【０００１】
本発明は展示台キット、および展示台に係り、特に、物品の輸送と輸送先での物品の展示に繰り返し用いることができ、輸送箱としても機能する、組立て式の自立展示台等に関するものである。
【背景技術】
【０００２】
新商品等を陳列展示してその広告宣伝を行う展示会では、その会場が展示会開催を主要用途としている場合には、備品として展示台やテーブルが用意されており、出品者・出展者はそれを使用することができる。しかしながら、全ての会場が必ずしも展示に適した展示台等の備品を備えているとは限らない。たとえばホテルや多目的施設、あるいは公民館的な施設等では、展示に適した展示台等がなく、会議用のテーブル、机等を用いざるを得ないこともあり、即席的な印象、安上がりな印象を与えるなど、好ましいとは言えない。
【０００３】
展示台については従来、技術的な提案も複数なされている。たとえば後掲特許文献１には、各種容器・日用品・雑貨などの商品を梱包して輸送し、輸送後の商品を簡単に陳列して展示できる展示兼用輸送箱として、商品を横並びに適宜間隔で保持する保持部が一定の傾斜角で階段状に設けられている陳列部材と、これを支持する支持部材、支持部材を載置する箱型の土台部材とからなる構成が開示されており、土台部材の載置面を開放した状態で上下に反転し、商品を保持している陳列部材を支持部材に支持させた状態でその上方から土台部材を被せて梱包することで輸送可能な形態をとる、としている。
【０００４】
また特許文献２には、折り畳んだ状態での搬入や迅速な組み立てが可能な商品用展示台として、第１側板および第２側板が折り線を介して連結された筒状体と、第１側板の上端に橋渡し状に固定され、中央に折り線が形成された天面部と、筒状体の内部に収納される支柱とを有する構成が開示されている。そして、筒状体が支柱とともに平坦状に折り畳まれて天面部が折り線に沿い二つ折りとなる第１の状態と、輪ゴムの付勢力によって支柱の形状が復元することで第１側板が内側から押圧されて筒状体が断面六角形状となり、天面部が平坦に展開される第２の状態とに変形可能、としている。なお、これら先行技術はいずれも、展示会での展示用というよりも、むしろ実店舗における商品陳列を目的とする技術と認められる。
【先行技術文献】
【特許文献】
【０００５】
【特許文献１】特開２００７−２２６０３号公報「展示兼用輸送箱」
【特許文献２】特開２０１５−９７７２６号公報「展示台」
【発明の概要】
【発明が解決しようとする課題】
【０００６】
上述の通り、全ての会場において必ずしも展示に適した展示台等の備品を備えているとは限らない。このことは、たとえば、講演会・説明会・発表会・シンポジウム・交流会といった会合の一または複数と、展示会とが併催されるような複合的イベントの場合等に、特に問題となることが多い。これらの併催型のイベントでは、どうしても、展示会専用ではない多目的な施設を用いることが多く、それらの施設には必ずしも十分な備品があるとは限らないからである。そうすると、会議用のテーブルや机等の利用により、即席的、陳腐な印象を与えかねない。しかし、そのようなテーブル等でも十分な台数があればまだよいが、そうではない場合には陳列・展示そのものができなくなってしまう。このような問題に対する有効な解決策が望まれる。
【０００７】
そこで本発明が解決しようとする課題は、かかる従来技術の問題点をなくし、たとえ展示会場に十分な、あるいは展示に適したテーブル等の展示用備品が不足している場合であっても、あるいはそれらがない場合であっても、展示・陳列を何ら支障なく行うことのできる、いわばプロモーションツールの一つとして有用な、展示台を提供することである。
【０００８】
また、本発明の課題は、展示台としてしか機能できないのではなく、展示用の物品の輸送手段としても機能でき、それによって輸送時における荷物の純増を防止することのできる、輸送手段を兼ねることのできる展示台を提供することである。しかも、このような展示用の物品の輸送と輸送先での物品の展示に、反復して何回でも用いることのできる展示台を提供することである。さらには、輸送手段として適したコンパクトなサイズを備えるとともに、展示台として必要な高さを有する形態をとることのできる、展示台を提供することである。
【課題を解決するための手段】
【０００９】
本願発明者は上記課題について検討した結果、物品の輸送に使用可能な箱であって、これを所定の方法で展開し組立てることにより単独で自立する展示台として使用可能であるとともに、展開して天板となる外箱部分には展示台の脚部を含むすべての部材中空部材として入れ子式に収容可能な構成とすることによって解決できることを見出し、これを基礎として本発明を完成するに至った。すなわち、上記課題を解決するための手段として本願で特許請求される発明、もしくは少なくとも開示される発明は、以下の通りである。
【００１０】
〔１〕  回動軸により二分され離合自在の箱部材からなる箱体と、箱状形態をとった際の該箱体内に収容可能でありかつ後記展示台の支持部として用いるための一または複数の支持部材とからなる展示台キットであって、該箱体を形成する二の該箱部材はそれらの離隔により一平面をなして卓状形態を形成し、展示台を構成可能であることを特徴とする、展示台キット。
〔２〕  前記卓状形態をとる前記箱体と前記支持部材とを固定する固定手段が設けられていることを特徴とする、〔１〕に記載の展示台キット。
〔３〕  前記固定手段は、前記箱体および前記支持部材双方に設けられた、これら相互を連結する連結スリットであることを特徴とする、〔２〕に記載の展示台キット。
〔４〕  前記支持部材として、一または複数の中空の柱状体が含まれ、該柱状体は前記卓状形態をとる前記箱体を下方から支持するために用いられることを特徴とする、〔１〕、〔２〕、〔３〕のいずれかに記載の展示台キット。
〔５〕  前記柱状体は複数設けられ、該柱状体相互を連結する連結スリットが該柱状体に設けられていることを特徴とする、〔４〕に記載の展示台キット。
【００１１】
〔６〕  前記支持部材として、前記柱状体を下方から支持する一または複数の足部部材が含まれていることを特徴とする、〔４〕、〔５〕のいずれかに記載の展示台キット。
〔７〕  前記足部部材には、他の支持部材と連結するための連結スリットが設けられていることを特徴とする、〔６〕に記載の展示台キット。
〔８〕  前記支持部材は複数備えられ、一の支持部材の内部に他の支持部材が収容され得る関係（以下「入れ子関係」という。）が一または複数存在するように各支持部材の形状およびサイズ（以下「形態」という。）が形成されていることを特徴とする、〔１〕、〔２〕、〔３〕、〔４〕、〔５〕、〔６〕、〔７〕のいずれかに記載の展示台キット。
〔９〕  前記箱体が箱状形態をとった際にその内部に物品を収容可能な一または複数の内部箱体を備えていることを特徴とする、〔１〕、〔２〕、〔３〕、〔４〕、〔５〕、〔６〕、〔７〕、〔８〕のいずれかに記載の展示台キット。
〔１０〕  前記内部箱体の一つが、前記展示台による展示に係る物品収容用の箱であることを特徴とする、〔９〕に記載の展示台キット。
〔１１〕  〔１〕、〔２〕、〔３〕、〔４〕、〔５〕、〔６〕、〔７〕、〔８〕、〔９〕、〔１０〕のいずれかに記載の展示台キットにより形成されていることを特徴とする、展示台。
【発明の効果】
【００１２】
本発明の展示台キット、および展示台は上述のように構成されるため、これらによれば、たとえ展示会場に十分な、あるいは展示に適したテーブル等の展示用備品が不足している場合であっても、あるいはそれらがない場合であっても、展示・陳列を何ら支障なく行うことができ、有用なプロモーションツールとして用いることができる。
【００１３】
また本発明の展示台キット等は、展示台としてしか機能できないのではなく、展示用の物品の輸送手段としても機能でき、それによって輸送時における荷物の純増を無くすことができる。つまり本発明の展示台は、内部に部材を納めた余剰の空間を物品収容用の空間として用い、輸送手段を兼ねることができ、一台二役の機能を果たすことができる。すなわち、輸送・搬出入の際には展示用物品輸送箱の形態であって、展示台としての空間占有はなく、一方、展示に供用される際には展示台の形態であって、輸送箱としての空間占有はなく、各場面において場所をとらない構成である。
【００１４】
しかも本発明の展示台等は、展示用物品の輸送と輸送先での物品の展示に、反復して何回でも用いることができ、便利である。輸送箱および展示台としての耐久性は、その材質を適宜選択し、また具体的な構造・形態の設計により、如何様にも高めることができる。さらに本発明の展示台等は、輸送手段として適したコンパクトなサイズにすることができるとともに、全ての部材を内部に収容可能な形状・寸法にでき、加えて展示台として必要な高さを有する形態、そしてもちろん安定して自立できる形態をとることができる。
【図面の簡単な説明】
【００１５】
【図１】本発明展示台キットの基本構成を示す概念的説明図である。
【図２】図１に示す展示台キットの卓状形態を示す概念的説明図である。
【図３】本発明展示台キットの別の基本構成を示す概念的説明図である。
【図４】図２に示す展示台キットの卓状形態を示す概念的説明図である。
【図５】固定手段の存在を明示する本発明展示台キットの卓状形態を示す概念的説明図である。
【図６】本発明展示台キットの要素構成を示す概念的説明図である。
【図７】図６に示す展示台キットの一部収容状態を示す概念的説明図である。
【図８】図７に示す収容状態をさらに進めた状態を示す概念的説明図である。
【図９】図６に示す展示台キットの完全収容状態を示す概念的説明図である。
【図１０】本発明展示台キット実施例の収容関係（入れ子関係、収容方法）を示す説明図である。
【図１１】本発明展示台キット実施例の組立て説明図である（その１）。
【図１２】本発明展示台キット実施例の組立て説明図である（その２）。
【図１３】本発明展示台キット実施例の組立て説明図である（その３）。
【図１４】本発明展示台キット実施例の卓状形態（展示台）を示す説明図である。
【図１５】本発明展示台キット実施例の箱状形態（輸送箱）を示す説明図である。
【発明を実施するための形態】
【００１６】
以下、図面により本発明を詳細に説明する。
図１は、本発明展示台キットの基本構成を示す概念的説明図である。また、
図２は、図１に示す展示台キットの卓状形態を示す概念的説明図である。図１では、（ｉ）に箱状形態、（ｉｉ）に箱状形態が解かれて収容されている支持部材が出された状態を示す。各図に示すように本展示台キット１０は、回動軸Ｘにより二分され離合自在の箱部材１ａ、１ｂからなる箱体２と、箱状形態［Ｂ］をとった際の箱体２内に収容可能でありかつ後記展示台２０の支持部として用いるための一または複数の支持部材３とからなり、箱体２を形成する二の箱部材１ａ、１ｂはそれらの離隔により一平面をなして卓状形態［Ｔ］を形成して展示台２０を構成可能であることを、主たる構成とする。なお、概念的説明図である各図では支持部材３は一のみを示しているが、これは複数であってもよい。
【００１７】
かかる構成により、図１中（ｉ）のように箱状形態［Ｂ］をとっている本展示台キット１０の箱部材１ａ、１ｂが同図（ｉｉ）のように回動軸Ｘを軸として相互に回動して離隔され、内部に収容されていた一または複数の支持部材３が外に出される。箱部材１ａ、１ｂは相互回動、離隔して一平面となって卓状形態［Ｔ］をとり（図２）、一方支持部材３は、卓状形態［Ｔ］をとった箱体２を下方から支える支持部として用いられ、これによって展示台２０が形成される。
【００１８】
展示台２０として用いられた後の展示台キット１０（卓状形態［Ｔ］）は、支持部３が箱体２から取り外されて箱体２の内部に収容される準備がなされ、箱体２は回動軸Ｘを軸として箱部材１ａ、１ｂが再度閉じられて箱状形態［Ｂ］をとるともに支持部材３を内部に収容し、搬出入・運搬可能な状態となる。なお、図示しないが、箱状形態［Ｂ］をとる箱部２内部には、展示台２０上に展示するための展示用物品を収容することができる。
【００１９】
本発明展示台キット１０の材料としては、合成樹脂、紙類、木材、金属、その他適宜の材料を、単独で、または２種以上を併せて、用いることができる。要するに、上に展示物品を載せる展示台２０として機能し得る強度、輸送―組立て―分解―輸送に繰り返し用いることのできる耐久性、プロモーションツールたる展示台２０として適した外観等を備えるものである限り、如何なる材料を用いてもよい。また、本発明展示台キット１０を構成する各要素の具体的な形状や寸法も、上述した基本構成に合致する限り、如何なる形状・寸法であってもよい。
【００２０】
図３は、本発明展示台キットの別の基本構成を示す概念的説明図である。また、
図４は、図２に示す展示台キットの卓状形態を示す概念的説明図である。図３では、（ｉ）に箱状形態、（ｉｉ）に箱状形態が解かれて収容されている支持部材が出された状態を示す。各図に示すように本展示台キット２１０は、図１等に示した構成に加えて、箱体２２内部に収容される支持部材２３ａ等の数を複数とすることができる。なお、概念的説明図である各図では、支持部材は２３ａ、２３ｂの二のみを示しているが、もちろんこれは三以上であってもよい。支持部材２３ａ等は、卓状形態［Ｔ］をとった箱体２２を下方から安定的に支持する支持部として機能するものであり、その機能を果たす限り、単独の支持部材であっても、複数の部材を組み合わせる等して支持部となす構成であってもよい。
【００２１】
本展示台キット１０等における箱状状態［Ｂ］はすなわち、輸送・搬出入時・保管時形態である収納状態であり、卓状形態［Ｔ］は、箱状状態［Ｂ］（収納状態）から、いわば外箱であるところの箱体２等が展開して天板を形成した状態である。そして、外箱たる箱体２の内部には、支持部すなわち展示台２０等の脚部を形成することとなる支持部材３等が収容されていて、脚部形態とされた支持部材３等（または支持部材３等が複数の場合は、脚部形態に組み合わされた支持部材３等）の上に、展開されて卓状形態［Ｔ］となっている箱体２等（外箱）が載せられ等して取付けられて、自立した展示台２０等として使用される。
【００２２】
図５は、固定手段の存在を明示する本発明展示台キットの卓状形態を示す概念的説明図である。図示するように本展示台キット３１０は、上述した構成に加えて、卓状形態［Ｔ］をとる箱体３２と支持部材３３ａ等とを固定する固定手段３４が設けられている構成とすることができる。本図は概念的説明図であるため、固定手段３４の具体的構造は示していないが、要するに支持部材３３ａ等とその上に位置せしめられる卓状形態［Ｔ］の箱体３２とを、展示台３２０として用いる間、一時的に連結、固定する手段であって、脱着自在な手段であれば、如何なる手段であってもよい。
【００２３】
たとえば、箱体３２、支持部材３３ａ等の両者に設けた面ファスナー等による両者の相互接合、何らかの別途の係止用部材、結合用部材を用いた両者の結合、両者に相互に嵌め込み合う部位を設けての結合など、適宜の方法をとることができる。図１０等により実施例として後述するように、あらかじめ本展示台キットの各要素に所定の要素同士が嵌め込み合う関係の部位を設けることで固定手段とする方式が、結合―分離作業が簡単迅速であり、別途他の部材や治具等を要することがなく、繰り返し使用にも適し、さらに外観としてもスマートであって、好ましい。
【００２４】
図６は、本発明展示台キットの要素構成を示す概念的説明図である。また、
図７は図６に示す展示台キットの一部収容状態を示す概念的説明図、
図８は図７に示す収容状態をさらに進めた状態を示す概念的説明図、そして
図９は図６に示す展示台キットの完全収容状態を示す概念的説明図である。これらに示すように本展示台キット４１０は、その箱体４２の内部に全ての支持部材４３ａ、４３ｂ、・・・を収容できるように構成されている。すなわち、支持部材として、一または複数の中空の柱状体である支持部材が（図の例では、支持部材４３ａ、４３ｂが）含まれ、大容積の支持部材４３ａの中にそれより小容積の支持部材４３ｂが入れ子式に収容され、さらに支持部材４３ｂの中にそれより小さい支持部材４３ｃ、４３ｄが入れ子式に収容される構造である。
【００２５】
つまり、支持部材４３ａ、４３ｂは、展示台形成の際の支持部として機能する他、箱体４２が箱状形態［Ｂ］をとった際に、内部に物品を収容可能な一または複数の内部箱体としても機能する。実施例に後述するように、支持部がサイズの異なる複数種類の支持部材により形成される場合、これらの支持部材のうち少なくとも一部は、入れ子式の収容関係により一方が他方を収容する内部箱体である。
【００２６】
また、かかる内部箱体の一つを、展示台による展示に係る物品４０１、４０２、・・・等を収容するための物品収容用の箱４５とすることもできる。もちろん、展示に係る物品以外の物品の収容用としてもよい。たとえば、展示会用のその他のプロモーションツールとしてのネームプレート、立て札、バナーやポスター、チラシ類やアンケート用紙等の紙類、工具や文具類等の収容用としてもよい。、
【００２７】
図６〜９に即して、本発明展示台キット４１０の収容作用を説明する。図６に示した各要素からなる本発明展示台キット４１０のうち、展示に係る物品４０１、４０２、・・・等は物品収容用の箱４５に収容され、一方、支持部材４３ｃ、４３ｄ、４３ｅ、４３ｆは支持部材４３ｂに収容され、さらに支持部材４３ｂは支持部材４３ａに収容される（図７）。さらに、物品４０１等を収容済みの物品収容用の箱４５も、支持部材４３ａ内に収容される（図８）。最後に、他の部材・物品の全てを収容した支持部材４３ａが、箱部材４１ａ、４１ｂからなる箱体４２内に収容される（図９）。
【実施例】
【００２８】
以下、本発明を実施例により説明するが、本発明がこれに限定されるものではない。
図１０は、本発明展示台キット実施例の収容関係（入れ子関係、収容方法）を示す説明図である。図６等での説明と同様、本実施例展示台キット５１０では、支持部材は、それぞれ形状やサイズ（形態）の異なる支持部材５３ａ、５３ｂ、５３ｃ、５３ｄ、のように複数備えられ、支持部材５３ａ内に支持部材５３ｂが収容される関係のように、一の支持部材の内部に他の支持部材が収容され得る関係（入れ子関係）となるように、各支持部材５３ａ等の形状およびサイズ（形態）は形成されている。本実施例では、支持部材５３ａ内に支持部材５３ｂ、支持部材５３ｂ内に支持部材５３ｃ、５３ｄが収容されている。
【００２９】
図１１、１２、１３は、本発明展示台キット実施例の組立て説明図である（その１、２、３）。これらに図示するように本実施例展示台キット５１０の固定手段は、箱体５２、および支持部材５３ａ、５３ｂ、・・・等双の方に設けられた、これら相互を連結する連結スリット５４１、５４２、・・・等である。連結スリット５４１等は、箱体５２の連結スリット５４１―支持部材５３ａの連結スリット５４２、支持部材５３ａの連結スリット５４３―支持部材５３ｂの連結スリット５４４、支持部材５３ｂの連結スリット５４５―支持部材５３ｃの連結スリット５４６、支持部材５３ｃの連結スリット５４７―支持部材５３ｄの連結スリット５４８、これら４組の連結スリットが、箱体５２および支持部材５３ａ等計５つの部材の間の固定手段として機能する。
【００３０】
本発明展示台キットに係る「固定手段」は上述の通り、基本的に箱体―支持部材間における固定を行うための手段であるが、支持部材が本実施例のように複数用いられて支持部を形成する構成では、各支持部材間を固定する手段をも、同様に「固定手段」とする。
【００３１】
また、各連結スリットの組、連結スリット５４１―連結スリット５４２、連結スリット５４３―連結スリット５４４等は、本実施例展示台キット５１０に示すように、一組の部材間（例．支持部材５３ｂ―支持部材５３ｃ間）においてそれぞれ複数設けるようにすることが望ましい。固定箇所が一箇所よりも複数箇所である方が、両部材間の安定的な固定を行えるからである。なお、かかる固定箇所の数は限定されないが、いたずらに多くても作業が繁雑であるから、一組の部材間において、２〜８箇所程度とすることが望ましい。
【００３２】
連結スリット５４１―連結スリット５４２、連結スリット５４３―連結スリット５４４のような各連結スリットの組内では、スリットの幅を略同一とする。幅を略同一とすることによって両連結スリット５４１、５４２は、力を加えなければ容易には相互に脱離しないように嵌り合い、安定的な固定を行えるからである。また、各連結スリットの組み内では、スリットの長さも略同一とすることが望ましい。かかる構成によって、各スリットの最深部同士における結合がなされ、安定的な嵌り合い、固定を行えるからである。
【００３３】
図示するように本実施例展示台キット５１０の支持部材５３ａ、５３ｂは、中空の柱状体として形成されており、すなわち上述の入れ子式であり、その柱状体上に、支持部材相互を連結するための連結スリット５４３、５４４等が設けられている。一方、支持部材５３ｃ、５３ｄは、柱状体たる支持部材５３ｂ等を下方から支持する足部部材として形成されており、それらにも、支持部材相互を連結するための連結スリット５４６、５４７等が設けられている。
【００３４】
図１１に示すように、本実施例展示台キット５１０ではまず、足部部材たる２本の支持部材５３ｄに、同じく足部部材たる２本の支持部材５３ｄが直交して固定される。固定は、前者の連結スリット５４８と後者の連結スリット５４７とが嵌め合わされてなされる。両連結スリット５４８、５４７の嵌め合わせにより両支持部材５３ｄ、５３ｃが十字型に組んだ足部が形成され、支持部の基礎が安定する。
【００３５】
さらに本図に示すように、足部部材たる支持部材５３ｃ、５３ｄには、柱状体である支持部材５３ｂが固定される。固定は、支持部材５３ｃの連結スリット５４６と支持部材５３ｂの連結スリット５４５とが嵌め合わされ、また、支持部材５３ｄの連結スリット５４８と支持部材５３ｂの連結スリット５４５とが嵌め合わされてなされる。両連結スリット５４６−５４５、５４８−５４５の嵌め合わせにより、足部を形成する各支持部材５３ｃ、５３ｄと、柱状体である支持部材５３ｂとが安定的に固定され、足部の上に、展示台としての高さを担保する脚部が安定的に形成される。
【００３６】
図１２に示すように、柱状体である支持部材５３ｂの上にはさらに、同じく柱状体である支持部材５３ａが固定される。固定は、前者の連結スリット５４４と後者の連結スリット５４３とが嵌め合わされてなされる。両連結スリット５４４、５４３の嵌め合わせにより両支持部材５３ｂ、５３ａが安定的に固定され、展示台としての高さをさらに伸長させる脚部が安定的に形成される。
【００３７】
なお本実施例展示台キット５１０では、両柱状体（支持部材）５３ｂ、５３ａは、４５°の角度差をもって結合、固定される。角度差は４５°である必要はないが、幾らかの角度差をもって、つまり両者の水平位置をずらして重ね、固定することが望ましい。これは、先の図１１で示した連結スリット５４８−５４７等の嵌め合わせ固定でも同様である。すなわち、連結スリットの設けられている面同士が同一面上にならず、角度をもった位置関係（面同士が交わるようにする位置関係）とすることが、安定性の高い、確実な固定にはよい。
【００３８】
図１３に示すように、柱状体である支持部材５３ａの上には、天板となる箱体５２が固定される。固定は、前者の連結スリット５４２と後者の連結スリット５４１とが嵌め合わされてなされる。両連結スリット５４２、５４１の嵌め合わせにより、支持部材５３ｂ、５３ａよりなる脚部の上に天板たる箱体５２が安定的に固定され、展示台の組立てが完了する。図１４は、このようにして組立てられた本発明展示台キット実施例の卓状形態、すなわち展示台５２０を示す説明図である。
【００３９】
図１５は、本発明展示台キット実施例の箱状形態（輸送箱）を示す説明図である。展示台５２０としての使用が終了した展示台キット５１０は、図１１〜１３に示した各要素に分解され、図１０に示した収容関係により収容されて、本図に示す箱状形態［Ｂ］となり、搬出入・輸送・保管に供される。
【００４０】
なお、図１０に示した物品収容用の箱５５は、支持部材５３ａ等を納めてなお残る余剰の空間に収容可能な箱であり、これには展示物を内包して輸送し、到着先での展示供用終了後は元通りに内包して再度輸送することができる。したがって、本展示台キット５１０は、荷物として純増することがない。
【００４１】
また、本展示台キット５１０の素材としては、上述の通り適宜のものを用いることができるが、合成樹脂など、輸送を含む反復使用に十分に耐える強度、硬度を有する上、できるだけ軽量で扱いやすい素材がよい。なおまた、以上説明したいずれかの本発明展示台キットにより形成されている展示台もまた、本発明の範囲内である。
【産業上の利用可能性】
【００４２】
本発明の展示台キット、および展示台によれば、展示用物品の輸送に使用できる箱でありながら、これを展開・組立てることにより単独で自立する展示台の形態にすることができ、展示手段兼輸送手段として繰り返し使用することができる。そして、美術・工芸品、工業製品、食品、その他あらゆる物品の展示と輸送に応用できるものであり、産業上の利用が期待できる。したがって、物品の輸送業務分野、展示業務分野、および関連する全分野において、産業上利用性が高い発明である。
【符号の説明】
【００４３】
１ａ、１ｂ、２１ａ、２１ｂ、３１ａ、３１ｂ、４１ａ、４１ｂ、５１ａ、５１ｂ…箱部材
２、２２、３２、４２、５２…箱体
３、２３ａ、２３ｂ、３３ａ、３３ｂ、４３ａ、４３ｂ、４３ｃ、４３ｄ、４３ｅ、４３ｆ、５３ａ、５３ｂ、５３ｃ、５３ｄ…支持部材
１０、２１０、３１０、４１０、５１０…展示台キット
２０、２２０、３２０、５２０…展示台
３４、５４１、５４２、５４３、５４４、５４５、５４６、５４７、５４８…固定手段
４５、５５…物品収容用の箱
４０１、４０２、４０３、４０４、４０５、４０５、４０６、４０７、４０８、４０９・・・展示に係る物品
Ｂ…箱状形態
Ｔ…卓状形態
Ｘ、２Ｘ、３Ｘ、４Ｘ、５Ｘ…回動軸
【図１】
2020127652.tif 000003
【図２】
2020127652.tif 000004
【図３】
2020127652.tif 000005
【図４】
2020127652.tif 000006
【図５】
2020127652.tif 000007
【図６】
2020127652.tif 000008
【図７】
2020127652.tif 000009
【図８】
2020127652.tif 000010
【図９】
2020127652.tif 000011
【図１０】
2020127652.tif 000012
【図１１】
2020127652.tif 000013
【図１２】
2020127652.tif 000014
【図１３】
2020127652.tif 000015
【図１４】
2020127652.tif 000016
【図１５】
2020127652.tif 000017